(57)【要約】【課題】ハウジングや基板の寸法にばらつきがあったとしても、ハウジングに基板を容易に固定することのできる筐体を提供する。【解決手段】筐体１０は、電子部品４５が実装された基板４０を収容する。筐体１０は、基板４０を挿入するための開口部２１を有する箱状のハウジング２０と、ハウジング２０の開口部２１を閉じるカバー３０とを備える。ハウジング２０には、ハウジング２０に対して基板４０を収容するために、基板４０の挿入方向において基板４０が押し付けられることによって弾性変形を伴って基板４０を位置決めするとともに、弾性変形を伴うことで基板４０を固定するように構成されている保持部６０が設けられている。【選択図】図３
2017188553.tif 000002
【特許請求の範囲】
【請求項１】
電子部品が実装された基板を収容する筐体であって、
前記基板を挿入するための開口部を有する箱状のハウジングと、
前記ハウジングの開口部を閉じるカバーと、を備え、
前記ハウジング及び前記カバーの少なくとも一方には、前記ハウジングに対して前記基板を収容するために、前記基板の挿入方向において前記基板が押し付けられることによって弾性変形を伴って前記基板を位置決めするとともに、前記弾性変形を伴うことで前記基板を固定するように構成されている保持部が設けられている
筐体。
【請求項２】
前記保持部は、前記ハウジング及び前記カバーの少なくとも一方に一体に設けられる
請求項１に記載の筐体。
【請求項３】
前記保持部は、弾性変形する複数の突部材からなる
請求項１又は２に記載の筐体。
【請求項４】
前記突部材は、前記基板を挟み込むように延出してなる
請求項３に記載の筐体。
【請求項５】
前記保持部には、前記基板が押し付けられたときに前記基板の端部が当たる凹部が設けられ、
前記凹部の内側壁に前記基板の端部が当たる
請求項４に記載の筐体。
【発明の詳細な説明】
【技術分野】
【０００１】
本発明は、筐体に関する。
【背景技術】
【０００２】
電子部品を実装した基板を内部に収容する筐体は、開口部を有し、基板を収容するハウジングと、ハウジングの開口部を閉じるカバーとを備えている（例えば、特許文献１参照）。
【０００３】
特許文献１に記載の筐体では、ハウジングから基板が抜け落ちることを抑制するために、基板あるいはハウジングに係合部及び係合部と係合する被係合部を備えている。この筐体は、基板が収納されるときに係合部が変形して、所定位置に達すると係合部が回路基板あるいはハウジングに設けられた被係合部に係合することで、ハウジングと基板とが固定される。
【先行技術文献】
【特許文献】
【０００４】
【特許文献１】特開２０１４−１８３１３９号公報
【発明の概要】
【発明が解決しようとする課題】
【０００５】
ところで、上記特許文献１に記載の筐体では、係合部と被係合部とを係合させるため、ハウジングや基板の寸法にばらつきがあるときには、ハウジングと基板との固定が不十分となる可能性がある。
【０００６】
本発明は、こうした実情に鑑みてなされたものであり、その目的は、ハウジングや基板の寸法にばらつきがあったとしても、ハウジングに基板を容易に固定することのできる筐体を提供することにある。
【課題を解決するための手段】
【０００７】
以下、上記課題を解決するための手段及びその作用効果について説明する。
上記課題を解決する筐体は、電子部品が実装された基板を収容する筐体であって、前記基板を挿入するための開口部を有する箱状のハウジングと、前記ハウジングの開口部を閉じるカバーと、を備え、前記ハウジング及び前記カバーの少なくとも一方には、前記ハウジングに対して前記基板を収容するために、前記基板の挿入方向において前記基板が押し付けられることによって弾性変形を伴って前記基板を位置決めするとともに、前記弾性変形を伴うことで前記基板を固定するように構成されている保持部が設けられていることをその要旨としている。
【０００８】
上記構成によれば、基板を収容するために基板をハウジングに挿入すると、挿入方向において基板がハウジング及びカバーの少なくとも一方に設けられた保持部に押し付けられて、保持部が弾性変形することで基板を位置決めするとともに、基板を固定する。よって、保持部は弾性変形するので、ハウジングや基板の寸法にばらつきがあったとしても、そのばらつきが保持部の弾性変形により吸収されるから、ハウジングに基板を容易に固定することができる。
【０００９】
上記筐体について、前記保持部は、前記ハウジング及び前記カバーの少なくとも一方に一体に設けられることが好ましい。
上記構成によれば、ハウジング及びカバーの少なくとも一方と保持部が一体なので、保持部を設けるための作業や構成が不要となり、ハウジングやカバーとともに保持部を設けることができる。
【００１０】
上記筐体について、前記保持部は、弾性変形する複数の突部材からなることが好ましい。
上記構成によれば、複数の突部材からなる保持部が基板の端部と当たるので、基板の公差や挿入位置ずれ等に合わせて突部材がそれぞれ弾性変形でき、保持部による基板の保持力を高めることができる。
【００１１】
上記筐体について、前記突部材は、前記基板を挟み込むように延出してなることが好ましい。
上記構成によれば、保持部が基板を挟み込むように延出してなるので、基板と保持部とが必ず当たることができ、複数の突部材が弾性変形して基板を保持することができる。
【００１２】
上記筐体について、前記保持部には、前記基板が押し付けられたときに前記基板の端部が当たる凹部が設けられ、前記凹部の内側壁に前記基板の端部が当たることが好ましい。
上記構成によれば、保持部に凹部が設けられ、基板が押し付けられたときに基板の端部が凹部の内側壁に当たることで凹部の両側部が巻き込まれるように弾性変形し、保持部の巻き込まれた部位が基板を挟み込む力を更に作用させることができる。
【発明の効果】
【００１３】
本発明によれば、ハウジングや基板の寸法にばらつきがあったとしても、ハウジングに基板を容易に固定することができる。
【図面の簡単な説明】
【００１４】
【図１】筐体のハウジングとカバーとを分離した状態を示す斜視図。
【図２】筐体にコネクタを接続した状態を示す斜視図。
【図３】筐体の構造を示す図２の３−３断面図。
【図４】筐体の構造を示す図３の４−４断面図。
【図５】筐体に基板を収容するときの状態を示す断面図。
【図６】筐体に基板を収容するときの状態を示す拡大部分断面図。
【図７】筐体の変形例の構造を示す断面図。
【発明を実施するための形態】
【００１５】
以下、図１〜図６を参照して、筐体の一実施形態について説明する。
図１に示すように、筐体１０は、例えば、基板４０が収容されることによりＥＣＵを構成する。筐体１０は、一方向に開口する開口部２１を有する箱状のハウジング２０を備える。筐体１０は、一面が開口した開口部３１を有するとともに開口部３１が設けられた面と対向する面の一部に四角状の貫通部３２を有する箱状のカバー３０を備える。カバー３０は、ハウジング２０の開口部２１の外側に装着されることで、ハウジング２０の開口部２１を閉じる。なお、ハウジング２０及びカバー３０は、合成樹脂材料からなる。
【００１６】
ハウジング２０の上壁部２２の開口部２１寄り及び上壁部２２に対向する下壁部２３の開口部２１寄りには、ハウジング２０を貫通する係合孔２４が２つずつ設けられている。上壁部２２及び下壁部２３は、筐体１０における開口部２１に対向する閉口部２５と、開口部２１の幅方向両側において開口部２１から閉口部２５に向かって延びる側壁部２６，２７とにより連結されている。上壁部２２、下壁部２３、側壁部２６，２７、及び閉口部２５により囲まれるハウジング２０の内部は空洞となっている。ハウジング２０の空洞内には、合成樹脂材料からなり、電子部品が実装された板状の基板４０が収容されている。ハウジング２０に収容された基板４０は、基板４０の側面が各側壁部２６，２７に対向している。なお、各側壁部２６，２７の内面には、基板４０の板厚方向の位置決めを行う案内部２９がそれぞれ設けられる。案内部２９は、各側壁部２６，２７の開口部２１から閉口部２５に亘って設けられている。案内部２９は、基板４０の一部を挟み込むことで基板４０を筐体１０の内部に位置決め固定するように２個の板状の部材が側壁部２６，２７の内面に立設することで設けられている。
【００１７】
基板４０には、筐体１０の外部の各種装置と電気的に接続するコネクタ５０と、コンデンサ、抵抗等といった各種電子部品４５とが実装されている。コネクタ５０は、筐体１０の外部の各種装置と電気的に接続される接続部５１がハウジング２０の開口部２１から外部に突出している。
【００１８】
カバー３０は、貫通部３２が形成される壁部３３と、壁部３３から立設される周壁部３４ａ，３４ｂ，３４ｃ，３４ｄとを備える。周壁部３４ａと周壁部３４ｂとは対向している。周壁部３４ｃと周壁部３４ｄとは対向している。貫通部３２の大きさは、接続部５１が挿入可能に設定されている。周壁部３４ａと周壁部３４ｂとには、ハウジング２０の上壁部２２及び下壁部２３の各係合孔２４に対応する位置に係合突部３５が２つずつ形成されている。
【００１９】
図２に示すように、ハウジング２０の空洞に基板４０を収容した状態で、ハウジング２０に対してカバー３０を開口部３１側から装着してハウジング２０の開口部２１を閉じる。その際、各係合孔２４及び各係合突部３５の係合を通じてハウジング２０及びカバー３０が固定される。カバー３０の貫通部３２から突出するコネクタ５０の接続部５１には、ケーブル付コネクタ５２が接続される。
【００２０】
続いて、図３及び図４を参照して、筐体１０に設けられる保持部について説明する。
図３及び図４に示すように筐体１０のハウジング２０の閉口部２５の内面には、ハウジング２０内に収容された基板４０を保持する保持部６０が一体に設けられている。保持部６０は、ハウジング２０に対して基板４０を収容するために、基板４０の挿入方向において基板４０が押し付けられることによって弾性変形を伴って基板４０を位置決めするとともに、弾性変形を伴うことで基板４０を固定するように構成されている。
【００２１】
具体的には、保持部６０は、弾性変形する複数の突部材６１であって、閉口部２５の内面から立設する。保持部６０の突部材６１は、基板４０を挟み込むように延出する襞状の部材である。すなわち、保持部６０の突部材６１は、下壁部２３の内面から上壁部２２側へ延出し、上壁部２２の手前まで延出している。なお、上壁部２２の内面まで延出してもよい。
【００２２】
保持部６０の突部材６１には、基板４０の先端部４１が当たる位置に凹部６２が設けられている。基板４０の筐体１０への挿入により、基板４０が凹部６２に押し付けられると、凹部６２の内側壁６２ａに基板４０の先端部４１が当たることにより、突部材６１が弾性変形することによって基板４０に巻き込まれる。
【００２３】
次に、図３〜図６を参照して、上記のように構成された筐体１０の作用について説明する。
図５に示すように、基板４０をハウジング２０に収容する際には、ハウジング２０の案内部２９に沿って基板４０が挿入される。図５では、基板４０が保持部６０に当たっていない状態を示している。
【００２４】
続いて、カバー３０をハウジング２０の開口部２１を閉じるように装着すると、カバー３０の壁部３３の内面が基板４０の基端部４２に当接して、基板４０はカバー３０に押されることとなる。
【００２５】
図６に示すように、基板４０が押されて、基板４０の先端部４１が保持部６０の複数の突部材６１の凹部６２に押し付けられると、複数の突部材６１が弾性変形して、基板４０の先端部４１が複数の突部材６１の凹部６２の両側部が巻き込まれる。そして、保持部６０の巻き込まれた部位が基板４０を挟み込む力を更に作用させる。これによって、図３及び図４に示すように、基板４０が位置決めされるとともに、弾性変形を伴うことによって復元力が作用して基板４０が保持部６０に固定され、ひいてはハウジング２０に基板４０が固定される。
【００２６】
以上説明したように、本実施形態によれば、以下の効果を奏することができる。
（１）基板４０を収容するために基板４０をハウジング２０に挿入すると、挿入方向において基板４０がハウジング２０に設けられた保持部６０に押し付けられて、保持部６０が弾性変形することで基板４０を位置決めするとともに、基板４０を固定する。よって、保持部６０は弾性変形するので、ハウジング２０や基板４０の寸法にばらつきがあったとしても、そのばらつきが保持部６０の弾性変形により吸収されるから、ハウジング２０に基板４０を容易に固定することができる。
【００２７】
（２）ハウジング２０と保持部６０が一体なので、保持部６０を設けるための作業や構成が不要となり、ハウジング２０とともに保持部６０を設けることができる。
（３）複数の突部材６１からなる保持部６０が基板４０の先端部４１と当たるので、基板４０の公差や挿入位置ずれ等に合わせて突部材６１がそれぞれ弾性変形でき、保持部６０による基板４０の保持力を高めることができる。
【００２８】
（４）保持部６０が基板４０を挟み込むように延出してなるので、基板４０と保持部６０とが必ず当たることができ、複数の突部材６１が弾性変形して基板４０を保持することができる。
【００２９】
（５）保持部６０の突部材６１に凹部６２が設けられ、基板４０が押し付けられたときに基板４０の先端部４１が凹部６２の内側壁６２ａに当たることで凹部６２の両側部が巻き込まれるように弾性変形し、保持部６０の巻き込まれた部位が基板４０を挟み込む力を更に作用させることができる。
【００３０】
なお、上記実施形態は、これを適宜変更した以下の形態にて実施することもできる。
・上記構成において、保持部６０の襞状の突部材６１の数量を増加させてもよいし、保持部６０によって基板４０を固定することができれば、保持部６０の襞状の突部材６１の数量を減少させてもよい。
【００３１】
・上記実施形態では、保持部６０の突部材６１に設けられる凹部６２を、基板４０の先端部４１が内側壁６２ａに当たる凹部６２としたが、凹部６２の底部が閉口部２５の内面に位置し、保持部６０の突部材６１を上下に分割した形状としてもよい。
【００３２】
・また、保持部６０の突部材６１によって基板４０を固定することができれば、内側壁６２ａに当たらない凹部としてもよい。
・上記実施形態では、保持部６０の突部材６１に凹部６２を設けたが、保持部６０の突部材６１によって基板４０を固定することができれば、凹部６２を省略してもよい。
【００３３】
・上記実施形態では、保持部６０の突部材６１を襞状の部材としたが、他の形状の突部材としてもよい。例えば、図７に示すように、複数の針状の突部材７１を備えた保持部７０としてもよい。このような形状であっても、ハウジング２０に基板４０が挿入されて、保持部７０に押し付けると、針状の突部材７１が弾性変形して、基板４０を突部材７１の復元力で保持するとともに、複数の突部材７１がいろいろな方向から当たることで、基板４０を位置決めするとともに、基板４０を固定することができる。
【００３４】
・上記構成において、側壁部２６，２７に保持部を更に設けてもよい。
・上記実施形態では、案内部２９を側壁部２６，２７の開口部２１から閉口部２５に亘って設けたが、側壁部２６，２７の開口部２１寄りと閉口部２５寄りのみに設けてもよい。
【００３５】
・上記実施形態では、ハウジング２０に保持部６０を設け、基板４０の先端部４１が当たるようにしたが、カバー３０に保持部６０を設けてもよい。すなわち、カバー３０の壁部３３の内面に保持部を設け、基板４０の基端部４２が当たるようにしてもよい。また、カバー３０と保持部とを一体に設けてもよい。
【００３６】
・また、保持部をハウジング２０とカバー３０との両方に設けてもよい。
・上記実施形態では、保持部６０をハウジング２０（カバー３０）と一体に設けたが、保持部６０をハウジング２０（カバー３０）と別体として設けてもよい。
【００３７】
・上記実施形態では、保持部６０を複数の襞状の突部材６１や、保持部７０を複数の針状の突部材７１とした。これらに限らず他の形状の保持部でもよい。例えば、直方体の部材として、基板４０が押し付けられることによって弾性変形を伴って基板４０を位置決めするとともに、弾性変形を伴うことで基板４０を固定する保持部でもよい。
【００３８】
・上記構成において、保持部６０（７０）は、弾性変形することができる材料であれば、特に材料を限定しない。
【符号の説明】
【００３９】
１０…筐体、２０…ハウジング、２１…開口部、２２…上壁部、２３…下壁部、２４…係合孔、２５…閉口部、２６…側壁部、２７…側壁部、２９…案内部、３０…カバー、３１…開口部、３２…貫通部、３３…壁部、３４ａ，３４ｂ，３４ｃ，３４ｄ…周壁部、３５…係合突部、４０…基板、４１…先端部、４２…基端部、４５…電子部品、５０…コネクタ、５１…接続部、５２…ケーブル付コネクタ、６０…保持部、６１…突部材、６２…凹部、６２ａ…内側壁、７０…保持部、７１…突部材。
【図１】
2017188553.tif 000003
【図２】
2017188553.tif 000004
【図３】
2017188553.tif 000005
【図４】
2017188553.tif 000006
【図５】
2017188553.tif 000007
【図６】
2017188553.tif 000008
【図７】
2017188553.tif 000009